(57)【要約】【課題】ＩＣ定期券の利用者がＩＣ定期券を忘れた場合、乗車することができず、取りに戻るか、乗車する区間の乗車券を購入する必要がある。【解決手段】  前述の課題を解決する為、本発明は一例として、個人を特定する情報と定期券で利用可能な駅の情報とを対応づけて記憶する定期券情報データベースと、個人を特定する情報と、乗車駅と降車駅の情報とを前記定期券情報データベースに照合して、前記利用可能な駅を特定し、前記乗車駅と降車駅が前記特定された利用可能駅と一致するか照合し、一致する場合に当該区間の切符を発券する発券処理部とを有することを特徴とする。【選択図】図１
2013196076.tif 000002
【特許請求の範囲】
【請求項１】
個人を特定する情報と定期券で利用可能な駅の情報とを対応づけて記憶する定期券情報データベースと
個人を特定する情報と、乗車駅と降車駅の情報とを前記定期券情報データベースに照合して、前記利用可能な駅を特定し、前記乗車駅と降車駅が前記特定された利用可能駅と一致するか照合し、一致する場合に当該区間の乗車券を発券する発券処理部と
を有することを特徴とする定期区間乗車券発券装置。
【請求項２】
請求項１に記載の定期区間乗車券発券装置であって、
前記定期券情報データベースが個人を特定する情報と定期区間とを対応付けて記憶し、
前記発券処理部が、定期区間から利用可能駅を特定する
ことを特徴とする定期区間乗車券発券装置。
【請求項３】
請求項１乃至請求項２のそのそれぞれに記載の定期区間乗車券発券装置であって、
前記定期券情報データベースが定期券の有効期間の情報を対応付けて記憶して、
前期発見処理部が、更に、乗車券購入の現在時間と前期有効期間の情報を比較して、有効期間内であると判定された場合に当該区間の乗車券を発券する
ことを特徴とする定期区間乗車券発券装置。
【請求項４】
請求項１乃至請求項３のそのそれぞれに記載の定期区間乗車券発券装置であって、
前記個人を特定する情報が、生体情報である
ことを特徴とする定期区間乗車券発券装置。
【請求項５】
個人を特定する情報と定期券で利用可能な駅の情報とを対応づけて定期券情報データベースに記憶するステップと
個人を特定する情報と、乗車駅と降車駅の情報とを前記定期券情報データベースに照合して、前記利用可能な駅を特定し、前記乗車駅と降車駅が前記特定された利用可能駅と一致するか照合し、一致する場合に当該区間の切符を発券するステップと
を有することを特徴とする定期区間乗車券発券方法。
【発明の詳細な説明】
【技術分野】
【０００１】
ＩＣ定期券を忘れた場合に乗車券を発券する技術に関する。
【背景技術】
【０００２】
鉄道等の交通システムでは、ＩＣカードを定期券等の乗車券に利用することが一般的になっている。例えば特許文献１では、ＩＣカードを切符として利用する旨について開示されている。
【先行技術文献】
【特許文献】
【０００３】
【特許文献１】特開2001-344618
【発明の概要】
【発明が解決しようとする課題】
【０００４】
ＩＣ定期券の利用者がＩＣ定期券を忘れた場合、乗車することができず、取りに戻るか、乗車する区間の乗車券を購入する必要がある。その場合、鉄道利用者は、前者の対応ではＩＣ定期券を取りに戻る時間が負担となり、後者の対応においては乗車券購入代金が負担となる。
【課題を解決するための手段】
【０００５】
前述の課題を解決する為、本発明は一例として、個人を特定する情報と定期券で利用可能な駅の情報とを対応づけて記憶する定期券情報データベースと、個人を特定する情報と、乗車駅と降車駅の情報とを前記定期券情報データベースに照合して、前記利用可能な駅を特定し、前記乗車駅と降車駅が前記特定された利用可能駅と一致するか照合し、一致する場合に当該区間の切符を発券する発券処理部とを有することを特徴とする。
【発明の効果】
【０００６】
ＩＣ定期券を忘れた場合でも、追加料金を払うことなく交通機関に乗車できる。
【図面の簡単な説明】
【０００７】
【図１】ＩＣ定期券に登録されている乗車可能区間の乗車券発券システムのハードウェアの構成図である。
【図２】定期券情報データベースを表す図である。
【図３】ＩＣ定期券に登録されている乗車可能区間の乗車券発券処理におけるフローチャートを表す図である。
【発明を実施するための形態】
【０００８】
以下、実施例を図面を用いて説明する。
【０００９】
図１は実施例におけるシステム構成図の例である。ハードウェア装置としては、駅係員操作端末１０１、乗車券発券端末１０２、ＩＣ定期券登録区間内乗車券発券サーバ１０３、データベース装置１０４がある。各ハードウェアは、ネットワークを介して接続されている。また、各コンピュータは、メモリ、ハードディスクを含む記憶装置、ＣＰＵなどの処理装置を有し、記憶装置に格納されたプログラムに従って処理装置が情報処理を実行するものである。
【００１０】
駅係員操作端末１０１および乗車券発券端末１０２は、ＩＣ定期券に登録されている乗車可能区間の乗車券を発券することができる端末であり、駅係員操作端末１０１は駅係員が操作するための端末であり，乗車券発券端末１０２は鉄道利用者が個人で操作するための端末である。ＩＣ定期券登録区間内乗車券発券サーバ１０３は、ＩＣ定期券に登録されている乗車可能区間の乗車券発券に必要な処理を行うサーバであり、制御部１０５、個人情報入力部１０６、登録データ抽出部１０７、データ照合部１０８、データベース管理部１０９、発券処理部１１０を有している。定期券情報データベース１０４は、ＩＣ定期券の情報を登録してあるデータベースであり、詳細は図２で説明する。
【００１１】
制御部１０５は、ＩＣ定期券に登録されている乗車可能区間の乗車券発券処理における全てのデータの受け渡し処理を行う。個人情報入力部１０６は、ＩＣ定期券に登録されている乗車可能区間の乗車券発券処理を希望する鉄道利用者において、個人情報を入力させる処理を行う。入力させる個人情報は、氏名、生年月日、電話番号、生体情報である。
【００１２】
登録データ抽出部１０７は、個人情報入力部１０６で入力された、氏名、生年月日、電話番号に基づき、データベース装置１０４に登録してあるデータベースから入力情報に合致する情報を抽出する処理を行う。
【００１３】
データ照合部１０８は、個人情報入力部１０６で入力された生体情報と、登録データ抽出部で抽出された生体情報が合致しているかを判定する処理を行う。前述の二つの生体情報が合致し、本人確認が取れた場合、発券処理部１１０の処理に移行する。前述の二つの生体情報が合致し、本人確認が取れない場合、照合エラーを表示させ、再照合させる。三度の照合を実施し、前述の二つの生体情報が合致しない場合は、本人確認が取れないと判定し、ＩＣ定期券に登録されている乗車可能区間の乗車券発券処理を終了する。
【００１４】
データベース管理部１０９は、定期券情報データベース１０４の情報入力処理、情報削除処理、情報更新処理を行う。
【００１５】
発券処理部１１０は、図２の定期券情報データベース１０４に登録してある利用可能駅情報２０３を表示し、乗車駅および降車駅を選択させ、選択した乗車駅から降車駅まで乗車することができる乗車券の発券処理を行う。
【００１６】
図２の定期券情報データベース１０４は、それぞれの定期券を区別するためのＩＤ番号２０１、各定期券の利用可能期間を管理するための利用可能期間２０２、各定期券で利用可能な区間を管理するための利用可能駅２０３、各定期券の所有者を管理、識別するための所有者氏名２０４、各定期券の性別を管理するための性別２０５、各定期券の生年月日を管理、識別するための生年月日２０６、各定期券の電話番号を管理、識別するための電話番号２０７、各定期券の住所を管理するための住所２０８、各定期券の所有者の生態情報登録番号を区別するための生体情報登録データ２０９の情報を有しており、ＩＤ番号２０１で各々のデータを区別する，データベースの例である。
【００１７】
このデータベースから特定のデータを抽出する場合は、駅係員操作端末１０１および乗車券発券端末１０２にて入力される氏名、電話番号に基づき、それぞれが氏名２０４、生年月日２０６、電話番号２０７と合致しているデータを抽出する。
【００１８】
次に，図３のＩＣ定期券に登録されている乗車可能区間の乗車券発券システムにおける乗車券発券処理をフローチャートに沿って説明する。
【００１９】
実施例として，定期券情報データベース１０４においてＩＤ番号２０１に000001，利用可能期間(月)２０２に6，利用可能駅２０３に東京，有楽町，新橋，浜松町，田町，品川で，所有者氏名２０４に田中太郎，性別２０５に男，生年月日２０６に19700101，電話番号２０７に09011111111，住所２０８に該当する住所，生体情報登録データ２０９にデータ000001，が登録されており，該当データを持つ個人が，ＩＣ定期券に登録されている乗車可能区間の乗車券発券システムを利用し，東京から新橋までの乗車券を発券する場合の処理の流れを示す。
【００２０】
まず、駅係員操作端末１０１もしくは乗車券発券端末１０２にて、ＩＣ定期券に登録されている乗車可能区間の乗車券発券処理を開始する。
【００２１】
ステップＳ３０１において、定期券情報データベース１０４に登録されているデータから、特定の情報を抽出するために、氏名、生年月日、電話番号を入力させ、ステップＳ３０２の処理に移行する。実施例では，氏名に田中太郎，生年月日に19700101，電話番号に09011111111を入力し，ステップＳ３０２に移行する。
【００２２】
ステップＳ３０２は，ステップＳ３０１で入力される氏名、生年月日、電話番号に基づき、それぞれが定期券情報データベース１０４における氏名２０４、生年月日２０６、電話番号２０７と合致しているデータを探し出し抽出する。実施例では，氏名が田中太郎、生年月日が19700101，電話番号が09011111111であるデータを定期券情報データベース１０４から探し出し抽出する。
【００２３】
続いてステップＳ３０３では、ステップＳ３０２で抽出したデータがデータ入力者本人の情報であるかを確認するために、データ入力者の生体情報を入力させ、ステップＳ３０４の処理に移行する。
【００２４】
ステップＳ３０４では、ステップＳ３０２で抽出したデータにおける生体情報登録データ２０９を抽出し，ステップＳ３０３で入力させたデータ入力者の生体情報とを照合し，Ｓ３０５に移行する。実施例では，データ入力者である田中太郎が入力した生体情報および田中太郎のデータとして登録してある生体情報登録データを照合する。
【００２５】
ステップＳ３０５では、ステップＳ３０４で照合した生体情報が合致しているかを判定する。照合した結果、照合した生体情報が合致していると判定された場合はステップＳ３０６の処理に移行し、合致していないと判定された場合はステップＳ３０９の処理に移行する。実施例では，ステップＳ３０４で照合した二つの生体情報が合致していると判定されたと仮定し，ステップＳ３０６に移行する。
【００２６】
ステップＳ３０６では、ステップＳ３０２で抽出したデータから、購入済みのIC定期券で乗降車可能である利用可能駅２０３の情報を，操作している端末の画面に表示し、ステップＳ３０７の処理に移行する。実施例では，操作端末の画面に，東京，有楽町，新橋，浜松町，田町，品川，の情報を表示させる。
【００２７】
ステップＳ３０７では、ステップＳ３０６で表示された利用可能駅２０３の情報から、乗車駅および降車駅を選択させ、選択された乗車駅と降車駅の情報を操作している端末に送信し，ステップＳ３０８の処理に移行する。実施例では，乗車駅として東京を，降車駅として新橋を選択する。ここでは乗車駅として東京を選択しているが、東京駅で購入した場合は乗車駅を東京と自動で判別させてもよい。
【００２８】
ステップＳ３０８では、操作している端末側において，ステップＳ３０７で特定された乗車駅と降車駅の情報を受信し，受信した情報に基づき，ステップＳ３０７で特定された乗車駅から降車駅まで乗降車することが可能な乗車券を発券し、ステップＳ３１０の処理に移行する。 
ここで乗車可能かどうかを判定する為、乗車駅の情報と、降車駅の情報を、定期券情報ＤＢ１０４の利用可能駅２０３の情報に照らし合わせて、一致する場合には乗車可能、一致しない場合には乗車不可能と判定する。乗車可能と判定されると乗車券を発券する。具体例では、東京から新橋まで乗車することが可能な乗車券を発券する。
【００２９】
本実施例の定期券情報ＤＢ１０４では、利用可能駅の情報を予め記憶しているが、これに限定される訳ではなく、例えば定期の定期区間の情報、から利用可能駅を特定することとしてもよい。例えば、東京、新橋間の定期区間であると、その間にある有楽町も含めた、東京、有楽町、新橋が利用可能駅として特定される。この定期区間にどの駅が存在するかを特定する為、路線情報を利用して特定することとしてもよい。
【００３０】
また、定期券情報データベースは定期の利用可能期間２０２の情報も記憶し、購入した現在時刻と利用可能期間２０２を比較して利用可能である場合に、利用可能駅２０３の駅が利用可能であると判定して、発券する。
【００３１】
ステップ３０５で照合した情報が合致していないと判定される場合は、ステップＳ３０９に移り、生体情報照合エラーを表示し、ステップＳ３１０の処理に移行する。
【００３２】
ステップＳ３１０では、ステップＳ３０５の二つの生体情報を照合した結果，照合した二つの生体情報が合致している場合は乗車券発券処理を終了する。照合した二つの生体情報が合致していない場合は，２回までの失敗はステップＳ３０３の処理に移行する。３回失敗した場合は乗車券発券処理を終了する。実施例では，ステップＳ３０５において，ステップＳ３０４で照合した二つの生体情報が合致していると判定されたため，乗車券発券処理を終了する。
【００３３】
本実施例では、本人の判定を氏名や生年月日の情報、電話番号等で本人確認をして生体情報で認証したがこれに限定されるものではなく、本人であると確認できればそれでよい。例えば、氏名、生年月日、電話番号で本人を確認したり、生体情報等の認証情報での本人確認、パスワードでの本人確認、またはそれらの組み合わせ等が考えられる。
【００３４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３５】
１０１：駅係員操作端末
１０２：乗車券発券端末
１０３：IC定期券登録区間内乗車券発券サーバ
１０４：データベース装置
１０５：制御部
１０６：個人情報入力部
１０７：登録データ抽出部
１０８：データ照合部
１０９：データベース管理部
１１０：発券処理部
【図１】
2013196076.tif 000003
【図２】
2013196076.tif 000004
【図３】
2013196076.tif 000005